【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
二液性の歯科用組成物を混合するためのシリンジミキシングシステム内で使用するための中空のインナープランジャーにおいて、
基端および末端を有し、第１の成分を収容する内部チャンバーを画定する連続した円筒形の壁を含む本体と、
前記本体における末端に配されるシーリングプラグおよび破裂可能な膜と、を含み、
前記シーリングプラグおよび前記破裂可能な膜は、一体成形で共に一体に形成される中空のインナープランジャー。
【請求項２】
前記内部チャンバーは、前記本体の基端における前記内部チャンバーの直径未満の直径を該本体の末端に有する請求項１記載の中空のインナープランジャー。
【請求項３】
前記内部チャンバーは、前記基端における該チャンバーの直径の約７５％以下の直径を該本体の末端に有する請求項１記載の中空のインナープランジャー。
【請求項４】
前記内部チャンバーは、前記基端における該チャンバーの直径の約５０％以下の直径を該本体の末端に有する請求項１記載の中空のインナープランジャー。
【請求項５】
前記内部チャンバーは、前記基端における該チャンバーの直径の約３５％以下の直径を該本体の末端に有する請求項１記載の中空のインナープランジャー。
【請求項６】
前記破裂可能な膜およびシーリングプラグは、エラストマー物質からなる請求項１記載の中空のインナープランジャー。
【請求項７】
前記破裂可能な膜およびシーリングプラグは、熱可塑性エラストマーまたは熱硬化性エラストマーからなる請求項１記載の中空のインナープランジャー。
【請求項８】
前記破裂可能な膜は、約０．０００５インチから約０．０４インチまでの厚さを有する請求項１記載の中空のインナープランジャー。
【請求項９】
前記破裂可能な膜は、約０．００２インチから約０．０２５インチまでの厚さを有する請求項１記載の中空のインナープランジャー。
【請求項１０】
前記破裂可能な膜は、約０．００５インチから約０．０１５インチまでの厚さを有する請求項１記載の中空のインナープランジャー。
【請求項１１】
前記本体の基端に配されるフランジをさらに含む請求項１記載の中空のインナープランジャー。
【請求項１２】
前記本体は、さらに、該本体の末端近傍に配され外方に延在する環状の隆起部を含み、前記シーリングプラグは、前記シーリングプラグおよび破裂可能な膜を前記中空のインナープランジャーの本体に対し取り付けるように前記環状の隆起部に嵌って係合するように構成される対応する環状の溝をさらに含む請求項１記載の中空のインナープランジャー。
【請求項１３】
前記中空のインナープランジャーは、シリンジバレルを含み、さらに、前記本体の末端に配され、シリンジツウシリンジミキシングに備えるために該シリンジバレルを他のシリンジバレルに結合するための結合手段を含む請求項１記載の中空のインナープランジャー。
【請求項１４】
二液性の歯科用組成物の混合において使用するためのシリンジインシリンジミキシングシステムにおいて、
第１のプランジャーと、
気密係合状態で前記第１のプランジャーを摺動可能に受け入れるように構成される中空のインナープランジャーであって、基端および末端を有し第１の成分を収容するための内部チャンバーを画定する連続した円筒形の壁を含む本体と、該本体の末端に配され、一体成形で共に一体に形成されるシーリングプラグおよび破裂可能な膜と、を含む中空のインナープランジャーと、
第２の成分を収容するように構成され、気密係合状態で前記中空のインナープランジャーを摺動可能に受け入れるように構成されるシリンジバレルと、
を含むシリンジインシリンジミキシングシステム。
【請求項１５】
さらに、前記中空のインナープランジャー内に完全に挿入されたならば、該中空のインナープランジャーから前記第１のプランジャーが取り外されることを防止、即ち、少なくとも妨げるためのロック機構を含む請求項１４記載のシリンジインシリンジミキシングシステム。
【請求項１６】
前記ロック機構は、前記第１のプランジャーの基端近傍に形成される複数のインターロックリブを含み、該複数のインターロックリブは、該複数のインターロックリブが前記中空のインナープランジャー内に挿入されたならば、前記第１のプランジャーが取り外されることを防止、即ち、少なくとも妨げるように該中空のインナープランジャー内に挿入されるように構成される請求項１５記載のシリンジインシリンジミキシングシステム。
【請求項１７】
前記ロック機構は、前記第１のプランジャーの基端近傍に形成される環状のインターロックリングを含み、該環状のインターロックリングは、該環状のインターロックリングが前記中空のインナープランジャー内に挿入されたならば、前記第１のプランジャーが取り外されることを防止、即ち、少なくとも妨げるように該中空のインナープランジャー内に挿入されるように構成される請求項１５記載のシリンジインシリンジミキシングシステム。
【請求項１８】
二液性の歯科用組成物の混合において使用するためのシリンジインシリンジミキシングシステムにおいて、
第１のプランジャーと、
気密係合状態で前記第１のプランジャーを摺動可能に受け入れるように構成される中空のインナープランジャーであって、基端および末端を有し第１の成分を収容するための内部チャンバーを画定する連続した円筒形の壁を含む本体と、該本体の末端に配され、一体成形で共に一体に形成されるシーリングプラグおよび約０．０００５インチから約０．０４インチまでの間の厚みを有する破裂可能な膜と、を含み、前記内部チャンバーは、該チャンバーの最大直径の約７５％以下である直径を前記本体の末端において有する中空のインナープランジャーと、
第２の成分を収容するように構成され、気密係合状態で前記中空のインナープランジャーを摺動可能に受け入れるように構成されるシリンジバレルと、
を含むシリンジインシリンジミキシングシステム。
【請求項１９】
前記破裂可能な膜は、約０．００５インチから約０．０１０インチまでの厚さを有する請求項１８記載のシリンジインシリンジミキシングシステム。
【請求項２０】
前記内部チャンバーは、該チャンバーの最大直径の約１／３以下である直径を該本体の末端に有する請求項１８記載のシリンジインシリンジミキシングシステム。
【請求項２１】
中空のインナープランジャーの製造方法において、
基端および末端を有し、第１の成分を収容するための内部チャンバーを画定する連続した円筒形の壁を含む本体を設け、
一体成形で共に一体に形成されるシーリングプラグおよび破裂可能な膜を設け、
前記本体の末端上に、前記一体に形成されたシーリングプラグおよび破裂可能な膜を配置することを含む製造方法。
【請求項２２】
さらに、前記本体の末端上に、前記一体に形成されたシーリングプラグおよび破裂可能な膜を配置する以前に、第１の成分を前記中空のインナーチャンバーの内部チャンバー内に導入することを含む請求項２１記載の製造方法。
【請求項２３】
シリンジインシリンジミキシングシステムの製造方法において、
第１のプランジャーが気密係合状態で中空のインナープランジャー内に摺動可能に受け入れられるように該第１のプランジャーを該中空のインナープランジャー内に挿入し、
第１の成分を前記中空のインナープランジャーの内部チャンバー内に導入し、
一体に形成されるシーリングプラグおよび破裂可能な膜を前記中空のインナープランジャーの末端上に配置し、
前記中空のインナープランジャーが気密係合状態で前記シリンジバレル内に摺動可能に受け入れられるように前記中空のインナープランジャーをシリンジバレル内に挿入し、
第２の成分を前記シリンジバレルの内部チャンバーに導入し、
前記シリンジバレルの末端をキャップまたはプラグにより密封することを含む製造方法。
【請求項２４】
二液性の歯科用組成物を混合するシリンジツウシリンジシステム内で使用するためのシリンジバレルにおいて、
基端および末端を有し、第１の成分を収容する内部チャンバーを画定する連続した円筒形の壁を含む本体と、
一体成形で共に一体に形成され、前記本体の末端に配されるシーリングプラグおよび破裂可能な膜と、
前記本体の末端に配され、シリンジツウシリンジミキシングに備えるために前記シリンジバレルを他のシリンジバレルに結合する結合手段と、
を含むシリンジバレル。
【手続補正２】
【補正対象書類名】明細書
【補正対象項目名】００２７
【補正方法】変更
【補正の内容】
【００２７】
おそらく図３Ａにおいて最もよく分かるように、ロック機構１３６は、好都合なことに、第１のプランジャー１２６の基端近傍に含まれ、一旦、挿入されると、インナープランジャー１００からの第１のプランジャー１２６の引き抜きを防止する。そのようなロック機構は、その膜が一旦、破裂されるとき、有用であり、その装置は、すべてが供給されるまで混合された組成物を一定量供給するように使用可能とされるけれど、２つの成分を混合するために再利用できない。インナープランジャー１００内に第１のプランジャーを固定すると、その小出し装置がバレルおよびプランジャーを含む注射器として操作可能であり、損失、汚染、混合成分の浪費の原因となる第１のプランジャーの引き出しも防止しながら、使用者による小出しを簡単にする。示されるロック機構１３６は、縦方向に延在する複数のインターロックリブ１４０を有する拡大直径部１３８（ステム１３２の残部に対し）の外周の延在部からなる。使用中、インターロックリブ１４０は、中空のインナープランジャー１００内に挿入され、リブ１４０は、中空のインナープランジャー１００の内壁１０２に対し付勢する。そのシステムは、第１のプランジャー１２６は、中空のインナープランジャー１００に十分に挿入される場合、外周の延在部１３８が中空のインナープランジャー１００のフランジ１１２の範囲内に載置され、一方、インターロックリブ１４０は、フランジ１１２を通り過ぎて末端方向に中空のインナープランジャー１００内に入る。フランジ１１２は、中空のインナープランジャー１００の残部に対し強化したバレル強度をもたらすので変形が、部分１３８のために中空のインナープランジャー１００の内壁に対しほとんど起きないが、しかし、変形がリブ１４０により引き起こされる。その結果、中空のインナープランジャー１００の内壁１０２におけるフランジ１１２に対し末端方向に形成される関連した窪みが、中空のインナープランジャー１００（例えば、図４Ｂ参照）からの第１のプランジャー１２６の外れを防止、即ち、少なくとも妨げることとなる。
【手続補正３】
【補正対象書類名】明細書
【補正対象項目名】００２８
【補正方法】変更
【補正の内容】
【００２８】
図３Ｂは、円筒形の細長いステム１３２、および、シーリングプラグ１３４を含む代替的な第１のプランジャー１２６´を示す。第１のプランジャー１２６´と図３Ａおよび図２における第１のプランジャー１２６との間の動作原理の相違は、第１のプランジャー１２６´が、図３Ａにおける実施例の複数のインターロックリブ１４０および拡大直径部１３８ではなく環状のインターロックリング１４０´からなる代替的なロック機構１３６´を含む点にある。環状のインターロックリング１４０´は、複数のインターロックリブ１４０と類似して、中空のインナープランジャー１００の内壁１０２内にくぼみ、即ち、溝を形成する。環状のインターロックリング１４０´は、一旦、中空のインナープランジャー１００内に完全に挿入されたならば、その形成された溝にあり、第１のプランジャー１２６´の引き抜きを防止、即ち、少なくとも妨げる。他のロック機構（例えば、その中空のインナープランジャーに対する第１のプランジャーの締りばめ）が、代替的に使用されてもよい。